(57)【要約】      （修正有）【課題】建設資材置場に山積みされた敷鉄板に容易に装着し、昇降することができる敷鉄板昇降装置を提供する。【解決手段】側方に係合用凹部を形成するように１枚または複数枚ずつずらして山積みにした仮置き状態の敷鉄板１１の側方に、高さをずらして複数連続的に取り付けて階段状の足場を構築することができる敷鉄板昇降装置１であり、本体となる水平支持材２と、水平支持材２の上に設けた踏み板３と、水平支持材２の一方の端部に設けた手摺支柱４とを備え、水平支持材２の手摺支柱４と反対側の端部に、鉛直方向に延びるねじの回転により高さ調整可能とした圧着装置５を設け、圧着装置５部分を係合用凹部に挿入し、ねじの回転操作により、係合用凹部内に圧着固定されるようにしたものである。敷鉄板昇降装置１は、山積みした敷鉄板１１の側方に、手作業で容易に取り付けることができ、敷鉄板１１の高さに応じて、取り付ける枚数を調整することができる。【選択図】図１
0003167948.tif 000002
【実用新案登録請求の範囲】
【請求項１】
側方に係合用凹部を形成するように１枚または複数枚ずつずらして山積みにした仮置き状態の敷鉄板の側方に、高さをずらして複数連続的に取り付けることによって階段状の足場を構築することができるようにした敷鉄板昇降装置であって、前記敷鉄板昇降装置の本体となる水平支持材と、前記水平支持材の上に設けた踏み板と、前記水平支持材の一方の端部に設けた手摺支柱とを備え、前記水平支持材の前記手摺支柱と反対側の端部に、鉛直方向に延びるねじの回転により高さ調整可能とした圧着装置を設け、前記圧着装置部分を前記係合用凹部に挿入し、前記ねじの回転操作により、前記係合用凹部内に圧着固定されるようにしたことを特徴とする敷鉄板昇降装置。
【請求項２】
前記圧着装置には前記ねじを回転させるための水平放射方向に延びる複数の操作ハンドルが設けられており、前記操作ハンドルと前記水平支持材または踏み板との間に緩み止めの緊張材を取り付けられるようにしてあることを特徴とする請求項１記載の敷鉄板昇降装置。
【考案の詳細な説明】
【技術分野】
【０００１】
本考案は、建築、土木等の建設資材置場で山積みされた敷鉄板に装着する敷鉄板昇降装置に関するものである。
【背景技術】
【０００２】
通常、建設現場の工事進入道路、仮設用道路、軟弱地盤覆工、作業場養生などに用いられる敷鉄板は、建設資材置場で山積みにして保管されている。資材置場から敷鉄板を搬出する際、敷鉄板用つりフックなどを用いるため、山積みの敷鉄板に上る必要があり、敷鉄板の側方に梯子や脚立などを設置し、昇降している。
【０００３】
前述のような建設資材に付設する装置に関する先行技術文献として、例えば特許文献１がある。
【０００４】
特許文献１には、建設資材群に付設される足場の構築に用いる足場ユニットが記載されている。上部に掛止部を有する本体と、本体から略水平に突設して配され、夫々高低差を設けてある複数のステップと、を少なくとも含み、建設資材群にある間隙に掛止部を掛止めて、建設資材群に付設する足場となしている。
【先行技術文献】
【特許文献】
【０００５】
【特許文献１】実用新案登録第３１５０１５６号
【考案の概要】
【考案が解決しようとする課題】
【０００６】
前述したように、従来、山積みされた敷鉄板に昇降するためには、敷鉄板の側方に梯子や脚立などを設置しなければならないため、運ぶ手間がかかる。また、梯子や脚立などは敷鉄板に固定しているわけではなく、立て掛けるだけであるため、安全性にも問題がある。
【０００７】
また、前述した特許文献１の発明は、フック状の掛止部が設けられ、建設資材に容易に装着し、固定することができるステップではあるが、鋼矢板やＨ鋼に取り付けるステップを想定したものであるため、平らな敷鉄板に装着するのは難しい。
【０００８】
本考案は、上述のような問題点を解消すべくなされたもので、建設資材置場に山積みされた敷鉄板に容易に装着し、昇降することができる敷鉄板昇降装置を提供することを目的としている。
【課題を解決するための手段】
【０００９】
請求項１に係る考案は、側方に係合用凹部を形成するように１枚または複数枚ずつずらして山積みにした仮置き状態の敷鉄板の側方に、高さをずらして複数連続的に取り付けることによって階段状の足場を構築することができるようにした敷鉄板昇降装置であって、前記敷鉄板昇降装置の本体となる水平支持材と、前記水平支持材の上に設けた踏み板と、前記水平支持材の一方の端部に設けた手摺支柱とを備え、前記水平支持材の前記手摺支柱と反対側の端部に、鉛直方向に延びるねじの回転により高さ調整可能とした圧着装置を設け、前記圧着装置部分を前記係合用凹部に挿入し、前記ねじの回転操作により、前記係合用凹部内に圧着固定されるようにしたことを特徴とするものである。
【００１０】
水平支持材の一方の端部には、敷鉄板昇降装置に昇降する時の安全面を考慮し、手摺支柱を備えた。手摺支柱と反対側の端部には、山積みにした敷鉄板に係合するための圧着装置を設けている。
【００１１】
敷鉄板を建設資材置場に仮置きする際に、１枚または複数枚ずつずらして積み、敷鉄板の側方に係合用凹部を形成する。形成した係合用凹部に、敷鉄板昇降装置に設けた圧着装置部分を挿入し、鉛直方向に延びるねじを回転させることにより圧着装置の高さを調整し、敷鉄板昇降装置を挟み込んだ上下の敷鉄板に圧力を加え、敷鉄板の係合用凹部内に圧着固定することができる。
【００１２】
山積みにした敷鉄板の側面に、敷鉄板昇降装置を連続して取り付けることによって、図２に示したような階段状の足場を容易に構築することができる。
【００１３】
また、図２のように、例えば手摺支柱の上部にひもやチェーンなどを設けることにより、敷鉄板昇降装置間に連続して繋がった手摺を設けることも可能である。
【００１４】
請求項２に係る考案は、請求項１記載の敷鉄板昇降装置であって、前記圧着装置には前記ねじを回転させるための水平放射方向に延びる複数の操作ハンドルが設けられており、前記操作ハンドルと前記水平支持材または踏み板との間に緩み止めの緊張材を取り付けられるようにしてあることを特徴とするものである。
【００１５】
圧着装置に、水平放射方向に延びる複数の操作ハンドルを設けることによって、敷鉄板の係合用凹部に敷鉄板昇降装置の圧着装置部分を差し込み、圧着装置の高さを調整する際に、ねじの回転操作がしやすくなり、手作業で容易に敷鉄板昇降装置を取り付けることができる。
【００１６】
また、圧着装置のねじが緩むのを防ぐために、操作ハンドルと水平支持材、または操作ハンドルと踏み板との間に緊張材を掛け渡し、より安全性を向上させる。
【考案の効果】
【００１７】
本考案に係る敷鉄板昇降装置は、以上のような構成からなるので、次のような効果が得られる。
（１）山積みした敷鉄板の側方に、手作業で容易に取り付けることができる。
（２）山積みした敷鉄板の高さに応じて、取り付ける枚数を調整することができる。
（３）連続して取り付けることにより、階段状の足場を容易に構築することができる。
（４）操作ハンドルと水平支持材、または操作ハンドルと踏み板との間に緊張材を掛け渡すことによって、敷鉄板昇降装置の圧着装置のねじが緩むのを防ぐ。
【図面の簡単な説明】
【００１８】
【図１】本考案に係る敷鉄板昇降装置の一実施形態を示した詳細図であり、（ａ）は平面図、（ｂ）は断面図である。
【図２】図１の実施形態を概略的に示した斜視図である。
【考案を実施するための形態】
【００１９】
以下、図面に基づいて、本考案の実施の形態を詳細に説明する。なお、本考案は、以下に説明する実施形態に限定されるものではない。
【００２０】
図１は、本考案に係る敷鉄板昇降装置１の一実施形態を示しており、（ａ）は平面図、（ｂ）は断面図を示している。図２は、図１の実施形態を概略的に示した斜視図である。
【００２１】
〔構成〕
まず、敷鉄板昇降装置１に本体となる水平支持部２を設け、水平支持部２の上には実際に足をかける部分である踏み板３を設けた。本明細書では、網目状の踏み板３の例を示しているが、安全性に問題がなく、手作業で取り付ける際に可能な重量範囲であれば、材質や形状等は問わない。例として挙げた網目状の場合は、板状のものに比べると軽量化を図ることができる。
【００２２】
水平支持材２の端部には、山積みにした敷鉄板１１に取り付けて固定するための圧着装置５を設けている。圧着装置５は、操作ハンドル５ａと、操作ハンドル５ａから下にのびたボルト５ｂ、ボルト５ｂを嵌合するためのナット５ｃを備えている。
【００２３】
図１（ｂ）に示したように、操作ハンドル５ａによってボルト５ｂを回転させ、圧着装置５の高さを調整し、圧着装置５の上下にあたる敷鉄板１１に対して、圧を加えることによって、敷鉄板昇降装置１を圧着固定することができる。
【００２４】
操作ハンドル５ａの形状は、図１（ａ）に示したように水平放射方向に延びる複数のハンドルを設けておくと、敷鉄板１１に敷鉄板昇降装置１の圧着装置５部分を差し込んで、圧着装置５の高さを調整する際に、ボルト５ｂを回転させやすくなる。
【００２５】
水平支持材２の下には、当て材６を設けており、当て材６を敷鉄板１１の側方に当てることにより、反力が生じ、敷鉄板昇降装置１がより安定する（図１（ｂ）参照）。
【００２６】
また、敷鉄板昇降装置１に昇降する際の転落などの危険を防ぐため、水平支持材２の圧着装置５とは反対側の端部に、手摺支柱４を設けている。
【００２７】
さらに安全面を向上させる構成として、例えば、図１（ａ）で示したような番線７ａ・ゴムバンド７ｂ・フック７ｃの順で繋げた緊張材７を用意し、番線７ａを操作ハンドル５ａの端部に取付け、番線７ａとは反対の端部であるフック７ｃを踏み板３の網目に引っ掛ける。
【００２８】
すると、敷鉄板昇降装置１に昇降する時に衝撃を受けても逆にボルト５ｂにトルクがかかり、圧着装置５がさらに締まり、緩むのを防ぐことができる。
【００２９】
また、図２に示したように、敷鉄板昇降装置１を連続して取付け、階段状の足場を構築することも容易であり、手摺支柱４の上部にチェーンやひも４ａなどを設けて、手摺支柱間に連続した手摺を設けることも可能である。
【００３０】
以上に、本考案に係る敷鉄板昇降装置１の構造を述べたが、あくまで実施例の１つであり、本明細書で示した形状や構成に限定されるものではない。また、水平支持材２、踏み板３、手摺支柱４、圧着装置５などの敷鉄板昇降装置１の各部材は、強度や耐久性等の使用上で問題がなければどのような材質のものを用いても構わない。
【００３１】
〔設置手順〕
（１）敷鉄板１の側方に係合用凹部を形成するように山積みする（図２参照）。
（２）山積みした敷鉄板１に形成した係合用凹部に、敷鉄板昇降装置１の圧着装置５を差し込む。
（３）操作ハンドル５ａを回動させ、圧着装置５の高さを調整し、敷鉄板昇降装置１を圧着固定させる。
（４）番線７ａ・ゴムバンド７ｂ・フック７ｃの順で繋げた緊張材７を用意しておく（図１（ａ）参照）。
（５）操作ハンドル５ａの端部に番線７ａの端部を取付け、圧着装置５とは反対側の踏み板３の端部辺りにフック７ｃを引っ掛ける。
（６）手摺支柱４の上部に、ひも４ａなどを通して、連続した手摺を形成する。
【００３２】
（１）〜（６）を繰り返し行ない、山積みした敷鉄板１１の側方に、敷鉄板昇降装置１を連続して取り付けることにより、図２に示したような階段状の足場を容易に構築することができる。
【００３３】
以上に、本考案に係る敷鉄板昇降装置１の設置手順の例を示したが、この手順に限らないことは言うまでもない。
【符号の説明】
【００３４】
１…敷鉄板昇降装置、
２…水平支持材、
３…踏み板、
４…手摺支柱、４ａ…ひも、
５…圧着装置、５ａ…操作ハンドル、５ｂ…ボルト、５ｃ…ナット、
６…当て材、
７…緊張材、７ａ…番線、７ｂ…ゴムバンド、７ｃ…フック、
１１…敷鉄板
【図１】
0003167948.tif 000003
【図２】
0003167948.tif 000004